(57)【特許請求の範囲】
【請求項１】
正極側電源端子と、
負極側電源端子と、
平滑用コンデンサと、
前記平滑用コンデンサの一方の端子と前記正極側電源端子とを接続する正極側接続配線と、
前記平滑用コンデンサの他方の端子と負極側電源端子とを接続する負極側接続配線と、
前記正極側接続配線に接続される第１端子部と、第１グラウンドに接続される第２端子部とを有する第１ノイズ除去用コンデンサと、
前記負極側接続配線に接続される第１端子部と、前記第１グラウンドに接続される第２端子部とを有する第２ノイズ除去用コンデンサと、
前記正極側接続配線の一部を囲んで配置された第１ノーマルモードコイルと、
前記負極側接続配線の一部を囲んで配置された第２ノーマルモードコイルと、を備え、
前記第１ノイズ除去用コンデンサと前記第１ノーマルモードコイルとが配列された第１配列は、前記第２ノイズ除去用コンデンサと前記第２ノーマルモードコイルとが配列された第２配列と平行に配置され、
前記第１ノイズ除去用コンデンサと前記第２ノイズ除去用コンデンサとが配列された第３配列は、前記第１ノーマルモードコイルと前記第２ノーマルモードコイルとが配列された第４配列と平行に配置されている、電力変換装置。
【請求項２】
請求項１に記載の電力変換装置において、
前記第１ノイズ除去用コンデンサの前記第２端子部と前記第１グラウンドとの接続部、および前記第２ノイズ除去用コンデンサの前記第２端子部と前記第１グラウンドとの接続部は、前記第１ノイズ除去用コンデンサと前記第２ノイズ除去用コンデンサとの間に配置されている、電力変換装置。
【請求項３】
請求項１に記載の電力変換装置において、
前記正極側電源端子は、前記第１配列に接続された前記正極側接続配線の延長上に重なって配置され、
前記負極側電源端子は、前記第２配列に接続された前記負極側接続配線の延長上に重なって配置され、
前記正極側電源端子と前記負極側電源端子とが配列された第５配列は、前記第３配列と平行に配置されている、電力変換装置。
【請求項４】
請求項１に記載の電力変換装置において、
さらに、前記第１ノーマルモードコイルを挟んで前記第１ノイズ除去用コンデンサと対向する側に配置された第３ノイズ除去用コンデンサと、
前記第２ノーマルモードコイルを挟んで前記第２ノイズ除去用コンデンサと対向する側に配置された第４ノイズ除去用コンデンサと、を備え、
前記第３ノイズ除去用コンデンサと前記第４ノイズ除去用コンデンサとは、前記第３ノイズ除去用コンデンサと前記第４ノイズ除去用コンデンサとの間で第２グラウンドに接続され、
前記第３ノイズ除去用コンデンサと前記第４ノイズ除去用コンデンサとが配列された第６配列は、第４配列と平行に配置されている、電力変換装置。
【請求項５】
請求項１に記載の電力変換装置において、
さらに、前記正極側電源端子および前記負極側電源端子を囲んで配置されたコモンモードコイルを備え、
前記コモンモードコイルは、前記第１配列に接続された前記正極側接続配線の延長上および前記第２配列に接続された前記負極側接続配線の延長上を囲んで配置されている、電力変換装置。
【請求項６】
請求項１に記載の電力変換装置において、
さらに、前記第１ノーマルモードコイルと前記第２ノーマルモードコイルとの間に配置されたシールド部材を備える、電力変換装置。
【請求項７】
請求項６に記載された電力変換装置において、
前記シールド部材は、前記第１ノイズ除去用コンデンサと前記第２ノイズ除去用コンデンサとの間に配置され、
前記第１グラウンドは、前記シールド部材を含む、電力変換装置。
【請求項８】
請求項１に記載の電力変換装置において、
前記平滑用コンデンサは、前記第１配列に接続された前記正極側接続配線の延長線および前記第２配列に接続された前記負極側接続配線の延長線の双方に重なって配置されている、電力変換装置。
【発明の詳細な説明】
【技術分野】
【０００１】
本発明は、電力変換装置に関する。
【背景技術】
【０００２】
インバータやコンバータ等の電力変換装置は、例えば、ハイブリッド車やプラグインハイブリッド車、電気自動車などの車両に搭載される。このような電力変換装置は、直流を交流、または交流を直流に変換するためのスイッチング回路部および入力側回路部を有している。入力側回路部は、スイッチング回路部と並列に接続される平滑コンデンサと、該平滑コンデンサの各端子と電源端子とを接続する一対のバスバ等を有している。また、スイッチング回路部で発生される熱を冷却するための冷却フィンを備えたものもある。
【０００３】
バスバは、平板導電バー状の部材であり、細長い形状を有しているため、大きいインダクタンスを有する。インダクタンスが大きくなると、スイッチング素子のオン・オフ時に発生するサージ電圧が大きくなる。これに対し、一対のバスバの一方を幅広にして、該幅広バスバ上に絶縁層を介して他方のバスバを積層した構造とすることが知られている。この構造によれば、幅広のバスバによりインダクタンスが低減される。また、スイッチング回路部を冷却するための放熱フィンを備えた電力変換装置では、一部のスイッチング素子を放熱フィンから遠ざけて配置することが可能となり、これにより、各スイッチング素子の温度のばらつきを小さくすることができることが示されている（例えば、特許文献１）。
【先行技術文献】
【特許文献】
【０００４】
【特許文献１】特開２００６−１０１６７６号公報
【発明の概要】
【発明が解決しようとする課題】
【０００５】
上記先行文献には、信号ライン間や電源ラインとグラウンド間に発生するノイズを低減する構成については記載されていない。このため、内部からで発生するノイズにより周辺回路素子に与える影響が大きく、また周辺からノイズの影響を受けやすい。
【課題を解決するための手段】
【０００６】
本発明の一態様によれば、電力変換装置は、正極側電源端子と、負極側電源端子と、平滑用コンデンサと、前記平滑用コンデンサの一方の端子と前記正極側電源端子とを接続する正極側接続配線と、前記平滑用コンデンサの他方の端子と負極側電源端子とを接続する負極側接続配線と、前記正極側接続配線に接続される第１端子部と、第１グラウンドに接続される第２端子部とを有する第１ノイズ除去用コンデンサと、前記負極側接続配線に接続される第１端子部と、前記第１グラウンドに接続される第２端子部とを有する第２ノイズ除去用コンデンサと、前記正極側接続配線の一部を囲んで配置された第１ノーマルモードコイルと、前記負極側接続配線の一部を囲んで配置された第２ノーマルモードコイルと、を備え、前記第１ノイズ除去用コンデンサと前記第１ノーマルモードコイルとが配列された第１配列は、前記第２ノイズ除去用コンデンサと前記第２ノーマルモードコイルとが配列された第２配列と平行に配置され、前記第１ノイズ除去用コンデンサと前記第２ノイズ除去用コンデンサとが配列された第３配列は、前記第１ノーマルモードコイルと前記第２ノーマルモードコイルとが配列された第４配列と平行に配置されている。
【発明の効果】
【０００７】
本発明によれば、内部からで発生するノイズが低減されるので周辺回路素子に与える影響を低減することができ、また周辺からノイズの影響を受け難くすることができる。
【図面の簡単な説明】
【０００８】
【図１】本発明の電力変換装置の一実施の形態を示す回路図。
【図２】図１に示された電力変換装置の入力側回路部の実装構造を示す上面図。
【図３】図２の外観斜視図。
【図４】図３の分解図。
【図５】図３に図示されたシールド板を明確に示す斜視図。
【図６】図５に図示されたシールド板を含むシールド構造を示す斜視図。
【図７】図２のＶＩＩ−ＶＩＩ線断面図。
【図８】図１に図示された各素子の第１〜第６の配列との対応を示すための実装構造の上面図。
【発明を実施するための形態】
【０００９】
以下、図面を参照して、本発明の電力変換装置の一実施の形態を説明する。
図１は、本発明の電力変換装置１の一実施の形態を示す回路図である。
電力変換装置１は、直流高電圧が入力される正・負極側電源端子１００ａ、１００ｂを含む入力側回路部１０と、スイッチング回路部３００とを備えている。図１では、入力側回路部１０は、矩形の点線で囲んで図示されている。
正極側電源端子１００ａは、コモンモードコイル８００、正極側接続配線１１０ａおよび第１ノーマルモードコイル７００ａを介してスイッチング回路部３００に接続されている。
負極側電源端子１００ｂは、コモンモードコイル８００、負極側接続配線１１０ｂおよび第２ノーマルモードコイル７００ｂを介してスイッチング回路部３００に接続されている。
コモンモードコイル８００は、電源端子100a,100bに重畳するコモンモードノイズを低減する。
【００１０】
スイッチング回路部３００には、平滑コンデンサ４００が電気的に並列に接続されている。つまり、平滑コンデンサの正極側端子は正極側接続配線１１０ａに接続され、平滑コンデンサ４００の負極側端子は負極側接続配線１１０ｂに接続されている。
コモンモードコイル８００と第１ノーマルモードコイル７００ａとの間には、第１ノイズ除去用コンデンサ６００ａの第１端子部が接続されている。第１ノイズ除去用コンデンサ６００ａの第２端子部は、第１グラウンド５００ａに接続されている。
コモンモードコイル８００と第２ノーマルモードコイル７００ｂとの間には、第２ノイズ除去用コンデンサ６００ｂの第１端子部が接続されている。第２ノイズ除去用コンデンサ６００ｂの第２端子部は、第１グラウンド５００ａに接続されている。
コモンモードコイル８００と、第１ノーマルモードコイル７００ａまたは第２ノーマルモードコイル７００ｂとは、信号線や電源線とグラウンドとの間に発生するコモンモードノイズを低減するコモンモードノイズフィルタを構成する。
【００１１】
第１ノーマルモードコイル７００ａと平滑コンデンサ４００の正極側端子との間には、第３ノイズ除去用コンデンサ６００ｃの第１端子部が接続されている。第３ノイズ除去用コンデンサ６００ｃの第２端子部は、第２グラウンド５００ｂに接続されている。
第２ノーマルモードコイル７００ｂと平滑コンデンサ４００の負極側端子との間には、第４ノイズ除去用コンデンサ６００ｄの第１端子部が接続されている。第４ノイズ除去用コンデンサ６００ｄの第２端子部は、第２グラウンド５００ｂに接続されている。第１、第２ノーマルモードコイル７００ａ、７００ｂは、電源線間や信号線間に発生するノーマルモードノイズを低減する。
【００１２】
スイッチング回路部３００は、例えば、ＭＯＳＦＥＴ（ゲート絶縁型電界効果トランジスタ）等のスイッチング素子を直列に接続した直列接続体を、並列に接続したフルブリッジ回路を有する。スイッチング回路部３００は、例えば、インバータを構成する。あるいは、スイッチング回路部３００は、さらに、ＭＯＳＦＥＴ等のスイッチング素子により構成される整流回路およびアクティブクランプ回路を有する低電圧側回路を備え、該低電圧側回路がインバータにトランスを介して結合されたＤＣＤＣコンバータを構成する。
【００１３】
図２は、図１に示された電力変換装置の入力側回路部の実装構造の一実施の形態を示す上面図であり、図３は、図２の外観斜視図である。図４は、図３の分解図である。但し、図４では、第１〜第４ノイズ除去用コンデンサ６００ａ〜６００ｄ、第１、第２ノーマルモードコイル７００ａ、７００ｂ、平滑コンデンサ４００および正・負極側接続配線１１０ａ、１１０ｂは図示を省略されている。
電力変換装置１は、収容部９１を有するケース９０を有する。ケース９０は、樹脂により形成された枠部９０ａと、金属により形成された底面部９０ｂ（図６も参照）とが一体成型により形成されている。ケース９０の収容部９１内には、第１〜第４ノイズ除去用コンデンサ６００ａ〜６００ｄ、第１、第２ノーマルモードコイル７００ａ、７００ｂおよび平滑コンデンサ４００が収容されている。
正・負極側電源端子１００ａ、１００ｂは、ケース９０の前方側の側部に平行して配置されている。正・負極側電源端子１００ａ、１００ｂは、それぞれ、ケース９０の前部に設けられた段部９２に取付けられている。
なお、以下では、前方、後方を図示の通りとする。
【００１４】
電力変換装置１は、また、コモンモードコイル用ケース９５を有する。コモンモードコイル用ケース９５は、リング形状に形成されており、リング状収容部９６（図４参照）を有する。
コモンモードコイル用ケース９５は、正・負極側電源端子１００ａ、１００ｂの外周を囲んで配置されている。コモンモードコイル用ケース９５のリング状収容部９６内には、コモンモードコイル８００が収容される。コモンモードコイル用ケース９５のリング状収容部９６内にコモンモードコイル８００が収容された状態で、コモンモードコイル用ケース９５のリング状収容部９６の開口部はケース蓋９５ａにより覆われる。これにより、コモンモードコイル８００は正・負極側電源端子１００ａ、１００ｂの外周を囲んで配置される。
【００１５】
正・負極側接続配線１１０ａ、１１０ｂは、それぞれ、ケース９０の前端側から後端側まで延在されている。正極側接続配線１１０ａと、負極側接続配線１１０ｂとは、ほぼ平行に延在されている。正・負極側接続配線１１０ａ、１１０ｂは、それぞれ、前端側および後端側で、ねじ等の締結部材により、ケース９０の上面に固定されている。正・負極側接続配線１１０ａ、１１０ｂは、それぞれ、ケース９０の収容部９１内で、収容部９１の底部側に向けて屈曲され、ケース９０の底面部９０ｂとほぼ平行に延在された低位部１１１ａ、１１１ｂを有する。
【００１６】
正・負極側接続配線１１０ａ、１１０ｂの低位部１１１ａ、１１１ｂには、それぞれ、第１、第２ノイズ除去用コンデンサ６００ａ、６００ｂの第１端子部が接続されている。正・負極側接続配線１１０ａ、１１０ｂと第１、第２ノイズ除去用コンデンサ６００ａ、６００ｂの第１端子部との接続には、はんだ付け、溶接等、適宜な接続方法を用いることができる。
第１、第２ノーマルモードコイル７００ａ、７００ｂは、それぞれ、正・負極側接続配線１１０ａ、１１０ｂの低位部１１１ａ、１１１ｂの一部を囲んで配置されている。
また、第３、第４ノイズ除去用コンデンサ６００ｃ、６００ｄの第１端子部は、第１、第２ノーマルモードコイル７００ａ、７００ｂの後方側の位置で、正・負極側接続配線１１０ａ、１１０ｂの低位部１１１ａ、１１１ｂに接続されている。つまり、第１ノイズ除去用コンデンサ６００ａおよび第１ノーマルモードコイル７００ａは、正極側接続配線１１０ａに重なって配置され、第２ノイズ除去用コンデンサ６００ｂおよび第２ノーマルモードコイル７００ｂは、負極側接続配線１１０ｂに重なって配置されている。
正・負極側接続配線１１０ａ、１１０ｂの低位部１１１ａ、１１１ｂは、それぞれ、ケース９０の収容部９１の後端側で、平滑コンデンサ４００の正・負極側端子に接続されている。正・負極側接続配線１１０ａ、１１０ｂと平滑コンデンサ４００との接続には、はんだ付け、溶接等、適宜な接続方法を用いることができる。
図３に図示されるように、ケース９０の収容部９１内には、第１ノーマルモードコイル７００ａと第２ノーマルモードコイル７００ｂとを仕切るシールド板９７が配置されている。
【００１７】
図５は、図３に図示されたシールド板を明確に示す斜視図であり、図６は、図５に図示されたシールド板を含むシールド構造を示す斜視図である。
ケース９０は、上述したように、枠部９０ａと、金属製の底面部９０ｂ（図６参照）とが一体成型により形成された部材である。金属製の底面部９０ｂは、枠部９０ａの底部に設けられた開口から内面側に露出されている。
シールド板９７は、ケース９０の底面部９０ｂ上に配置された底部と、該底部から上面側に向けて垂直に屈曲する立上げ部と、立上げ部の上部側に設けられた取付部９７ａ、９７ｂとを有する。シールド板９７の取付部９７ａ、９７ｂは、それぞれ、ケース９０に設けられた２つのボス部９３、９４の上面上に配置されている。シールド板９７の取付部９７ａ、９７ｂには、開口部が形成されている。シールド板９７の取付部９７ａ、９７ｂの開口部には、ボス部９３、９４に設けられた雌ねじ部に締結されるねじ等の締結部材２０１、２０２が挿通される。シールド板９７の底部は、ケース９０の底面部９０ｂに接続され、ケース９０の底面部９０ｂを介して接地される。なお、図５、図６において、ケース９０の金属製の底面部９０ｂおよびシールド板９７には、ハッチングを施してある。
【００１８】
ボス部９３は、正極側接続配線１１０ａと負極側接続配線１１０ｂとの中間位置に設けられている。第１ノイズ除去用コンデンサ６００ａの第２端子部と第２ノイズ除去用コンデンサ６００ｂの第２端子部とは、締結部材２０１により、シールド板９７を介して第１グラウンド５００ａに接地される。このため、第１ノイズ除去用コンデンサ６００ａの第２端子部と第２ノイズ除去用コンデンサ６００ｂの第２端子部とが第１グラウンド５００ａに接地される部位までの距離はほぼ等しい。
また、ボス部９４、正極側接続配線１１０ａと負極側接続配線１１０ｂとの中間位置に設けられている。第３ノイズ除去用コンデンサ６００ｃの第２端子部と第４ノイズ除去用コンデンサ６００ｄの第２端子部とは、締結部材２０２により、シールド板９７を介して第２グラウンド５００ｂに接地される。このため、第３ノイズ除去用コンデンサ６００ｃの第２端子部と第４ノイズ除去用コンデンサ６００ｄの第２端子部とが第２グラウンド５００ｂに接地される部位までの距離はほぼ等しい。
【００１９】
図７は、図２のＶＩＩ−ＶＩＩ線断面図である。
第１ノイズ除去用コンデンサ６００ａの第２端子部に接続される第１端子部材２１１ａは、シールド板９７の取付部９７ａ上に配置される。第２ノイズ除去用コンデンサ６００ｂの第２端子部に接続される第２端子部材２１１ｂは、第１端子部材２１１ａ上に配置される。第１端子部材２１１ａと第２端子部材２１１ｂとは、シールド板９７の取付部９７ａ上に積層された状態で、スプリングワッシャ、ワッシャを含むねじ等の締結部材２０１により、ケース９０のボス部９３に固定される。これにより、第１、第２ノイズ除去用コンデンサ６００ａ、６００ｂの各第２端子部は、シールド板９７の取付部９７ａを接続部として第１グラウンド５００ａ（図１参照）に接地される。
【００２０】
同様に、第３ノイズ除去用コンデンサ６００ｃの第２端子部に接続される第３端子部材２１１ｃは、シールド板９７の取付部９７ｂ上に配置される。第４ノイズ除去用コンデンサ６００ｄの第２端子部に接続される第４端子部材２１１ｄは、第３端子部材２１１ｃ上に配置される。第３端子部材２１１ｃと第４端子部材２１１ｄとは、シールド板９７の取付部９７ｂ上に積層された状態で、スプリングワッシャ、ワッシャを含むねじ等の締結部材２０２により、ケース９０のボス部９４に固定される。これにより、第３、第４ノイズ除去用コンデンサ６００ｃ、６００ｄの各第２端子部は、シールド板９７の取付部９７ｂを接続部として第２グラウンド５００ｂ（図１参照）に接地される。
【００２１】
ケース９０の収容部９１内には、放熱用の樹脂を充填してもよい。放熱用の樹脂を充填することにより、ケース９０の収容部９１内に配置されている正・負極側接続配線１１０ａ、１１０ｂ、第１、第２ノーマルモードコイル７００ａ、７００ｂ、第１〜第４ノイズ除去用コンデンサ６００ａ〜６００ｄ、平滑コンデンサ４００等から発生する熱をケース９０に効率的に伝導することができ、放熱効果を向上することができる。
【００２２】
図８は、図１に図示された各素子の第１〜第６配列２０〜７０との対応を示すための実装構造の上面図である。
以下、図１および図８を参照して、本発明の電力変換装置１の各素子の第１〜第６配列２０〜７０の構成とその効果を説明する。
【００２３】
（１）  第１ノイズ除去用コンデンサ６００ａと第１ノーマルモードコイル７００ａとが配列された第１配列２０は、第２ノイズ除去用コンデンサ６００ｂと第２ノーマルモードコイル７００ｂとが配列された第２配列３０と平行である。また、第１ノイズ除去用コンデンサ６００ａと第２ノイズ除去用コンデンサ６００ｂとが配列された第３配列４０と、第１ノーマルモードコイル７００ａと第２ノーマルモードコイル７００ｂとが配列された第４配列５０とは平行である。
これにより、各素子が最短長さで接続され、寄生インダクタンスを低減することができる。これに伴い、フィルタ特性の再現性が高くなり、特性ばらつきを低減し、外乱ノイズの影響を受け難くすることができる。
【００２４】
（２）  図５、図６に図示されるように、第１ノイズ除去用コンデンサ６００ａの第２端子部に接続される第１端子部材２１１ａと、第２ノイズ除去用コンデンサ６００ｂの第２端子部に接続される第２端子部材２１１ｂとは、両部材の中間位置に配置されたシールド板９７の取付部９７ａを接続部として第１グラウンド５００ａに接続される。このため、第１ノイズ除去用コンデンサ６００ａと第２ノイズ除去用コンデンサ６００ｂとの接地点までの距離がほぼ同一となり、Ｐ−Ｎ間でのノイズ減衰量を等しくすることができる。
【００２５】
（３）  正極側電源端子１００ａは、第１配列２０に接続された正極側接続配線１１０ａの延長上に重なって配置され、負極側電源端子１００ｂは、第２配列３０に接続された負極側接続配線１１０ｂの延長上に重なって配置され、正極側電源端子１００ａと負極側電源端子１００ｂとが配列された第５配列６０は、第３配列４０と平行に配置されている。コモンモードコイル８００と、第１ノイズ除去用コンデンサ６００ａまたは第２ノイズ除去用コンデンサ６００ｂとにより構成されるコモンモードフィルタは配線長に比例する抵抗成分が少ないほど、ノイズ低減効果が大きい。上記構成により、正・負極側接続配線１１０ａが短くなり、インダクタンスの低減が可能となるため、フィルタのＱ（Quality  ｆactor）を上げることができる。また、正・負極側接続配線１１０ａ、１１０ｂの長さが短くなるので、正・負極側接続配線１１０ａ、１１０ｂから混入されるノイズを抑えることができる。同時に、導体の抵抗値を低く抑えることができるため、温度上昇を抑制することができる。
【００２６】
（４）  第１ノーマルモードコイル７００ａを挟んで第１ノイズ除去用コンデンサ６００ａと対向する側に配置された第３ノイズ除去用コンデンサ６００ｃと、第２ノーマルモードコイル７００ｂを挟んで第２ノイズ除去用コンデンサ６００ｂと対向する側に配置された第４ノイズ除去用コンデンサ６００ｄと、を備えている。第３ノイズ除去用コンデンサ６００ｃと第４ノイズ除去用コンデンサ６００ｄとは、第３ノイズ除去用コンデンサ６００ｃと第４ノイズ除去用コンデンサ６００ｄとの中間位置で第２グラウンド５００ｂに接続されている。第３ノイズ除去用コンデンサ６００ｃと第４ノイズ除去用コンデンサ６００ｄとが配列された第６配列７０は、第４配列５０と平行に配置されている。第３ノイズ除去用コンデンサ６００ｃの第２端子部に接続される第３端子部材２１１ｃと、第４ノイズ除去用コンデンサ６００ｄの第２端子部に接続される第４端子部材２１１ｄとは、両部材の中間に配置されたシールド板９７の取付部９７ｂを接続部として第２グラウンド５００ｂに接続される。このため、第３ノイズ除去用コンデンサ６００ｃと第４ノイズ除去用コンデンサ６００ｄとの接地点までの距離がほぼ同一となり、Ｐ−Ｎ間でのノイズ減衰量を等しくすることができる。また、第３、第４ノイズ除去用コンデンサ６００ｃ、６００ｄは、それぞれ、第１、第２ノイズ除去用コンデンサ６００ａ、６００ｂと異なる容量のコンデンサとすることが可能であり、異なる共振周波数のフィルタを構成することができる。これにより、広帯域で対して有効なノイズ除去効果を得ることができる。
【００２７】
（５）  正極側電源端子１００ａおよび負極側電源端子１００ｂを囲んで配置されたコモンモードコイル８００を備え、コモンモードコイル８００は、第１配列２０に接続された正極側接続配線１１０ａの延長上および第２配列３０に接続された負極側接続配線１１０ｂの延長上を囲んで配置されている。この構成により、正極側電源端子１００ａおよび負極側電源端子１００ｂの長さを短くすることができる。従って、インダクタンスを低減することができ、コモンモードノイズの低減効果を大きくすること可能となる。
【００２８】
（６）  第１ノーマルモードコイル７００ａと第２ノーマルモードコイル７００ｂとの間に配置されたシールド板９７を備える。この構成により、第１ノーマルモードコイル７００ａと第２ノーマルモードコイル７００ｂとのノーマルモードコイル同士の磁気結合を防止することができる。また、シールド板９７の長さ・厚さ等を調整し、第１〜第４ノイズ除去用コンデンサ６００ａ〜６００ｄとのインダクタンスを調整することで、第１〜第４ノイズ除去用コンデンサ６００ａ〜６００ｄをＸ−ＣＡＰ（Ｘコンともいう）として使用することが可能となる。
【００２９】
（７）  シールド板９７は、第１ノイズ除去用コンデンサ６００ａと第２ノイズ除去用コンデンサ６００ｂとの間に配置され、第１グラウンド５００ａは、シールド板９７を含んで構成されている。シールド板９７が第１ノイズ除去用コンデンサ６００ａと第２ノイズ除去用コンデンサ６００ｂとの間に配置されるため、接地点までの距離がほぼ同一となり、Ｐ−Ｎ間でのノイズ減衰量を等しくすることができる。また、シールド板９７を介して接地を行う構造であり、シールド板９７を幅広部材とすることでインピーダンスを低くすることができるため、安定した確実な接地とすることができる。
【００３０】
（８）  平滑コンデンサ４００は、第１配列２０に接続された正極側接続配線１１０ａの延長線および第２配列３０に接続された負極側接続配線１１０ｂの延長線の双方に重なって配置されている。このため、正・負極側接続配線１１０ａ、１１０ｂの長さを短くすることができ、インダクタンスを低減することができる。
【００３１】
なお、上記一実施の形態では、ケース９０とコモンモードコイル用ケース９５を別部材として例示した。しかし、ケース９０とコモンモードコイル用ケース９５とを一体成型により形成してもよい。
【００３２】
また、上記に示したケース９０を、スイッチング回路部３００を含め他の電子部品を収容する大きな筐体に一体に形成してもよい。
【００３３】
ケース９０の形状・構造は、単に一実施の形態として例示したに過ぎず、適宜、変更することができるものである。
【００３４】
その他、本発明は上記した構成および内容に限定されるものではない。本発明の技術的思想の範囲内で考えられるその他の態様も本発明の範囲内に含まれる。
【符号の説明】
【００３５】
１      電力変換装置
２０      第１配列
３０      第２配列
４０      第３配列
５０      第４配列
６０      第５配列
７０      第６配列
９７      シールド板（シールド部材）
１００ａ    正極側電源端子
１００ｂ    負極側電源端子
１１０ａ    正極側接続配線
１１０ｂ    負極側接続配線
２１１ａ    第１端子部材
２１１ｂ    第２端子部材
２１１ｃ    第３端子部材
２１１ｄ    第４端子部材
３００      スイッチング回路部
４００      平滑コンデンサ
５００ａ    第１グラウンド
５００ｂ    第２グラウンド
６００ａ    第１ノイズ除去用コンデンサ
６００ｂ    第２ノイズ除去用コンデンサ
６００ｃ    第３ノイズ除去用コンデンサ
６００ｄ    第４ノイズ除去用コンデンサ
７００ａ    第１ノーマルモードコイル
７００ｂ    第２ノーマルモードコイル
８００      コモンモードコイル
【図１】
0006527107.tif 000002
【図２】
0006527107.tif 000003
【図３】
0006527107.tif 000004
【図４】
0006527107.tif 000005
【図５】
0006527107.tif 000006
【図６】
0006527107.tif 000007
【図７】
0006527107.tif 000008
【図８】
0006527107.tif 000009